(57)【要約】      （修正有）【課題】ヘッド部が所望の距離以上移動した回数を計測することができる装置を提供する。【解決手段】蓋１２と、蓋１２から離間したヘッド部１６と、蓋１２からヘッド部１６に向かって延びておりヘッド部１６に固定された筒部１４と、を含むポンプ部品に用いる装置Ａ１であって、筒部１４の延びる方向Ｘ１におけるヘッド部１６の移動に基づき、ヘッド部１６が所望の距離以上移動したことを示す信号を発生する信号発生部２を備える。【選択図】図２
2019087129.tif 000002
【特許請求の範囲】
【請求項１】
蓋と、前記蓋から離間したヘッド部と、前記蓋から前記ヘッド部に向かって延びており前記ヘッド部に固定された筒部と、を含むポンプ構造に用いる装置であって、
前記筒部の延びる方向における前記ヘッド部の移動に基づき、信号を発生する信号発生部を備える、装置。
【請求項２】
前記信号発生部を支持する支持部材を更に備え、
前記信号発生部は、入力部を含み、前記支持部材は、前記入力部に接触する接触部を含み、
前記ヘッド部が第１位置にある場合、前記接触部は、前記入力部に接触せず、前記ヘッド部が前記第１位置よりも前記蓋に近い第２位置にある場合、前記接触部は、前記入力部に接触する、請求項１に記載の装置。
【請求項３】
前記信号発生部は、前記ヘッド部の前記移動に基づき発電する発電部を含む、請求項２に記載の装置。
【請求項４】
前記発電部は、前記入力部が前記接触部に押されると、発電する、請求項３に記載の装置。
【請求項５】
電力を蓄える電源部を更に備え、
前記信号発生部には、前記電源部から前記電力が供給される、請求項３に記載の装置。
【請求項６】
前記信号発生部にて発生した信号を無線送信する送信部を更に備える、請求項２ないし請求項５のいずれかに記載の装置。
【請求項７】
前記支持部材は、第１部分および第２部分を含み、
前記第１部分は、前記蓋を保持する保持部を含む、請求項２ないし請求項６のいずれかに記載の装置。
【請求項８】
前記第２部分は、前記筒部の延びる方向に直交する方向に延びる軸回りに前記第１部分に対し回動可能に、前記第１部分に連結されている、請求項７に記載の装置。
【請求項９】
前記第２部分は、前記支持部材の一部が弾性変形することにより、前記第１部分に対し移動可能である、請求項７に記載の装置。
【請求項１０】
前記支持部材の少なくとも一部を覆うカバーを更に備える、請求項２ないし請求項９のいずれかに記載の装置。
【請求項１１】
請求項１に記載の装置と、
蓋と、
前記蓋から離間したヘッド部と、
前記蓋から前記ヘッド部に向かって延びており前記ヘッド部に固定された筒部と、を備える、ポンプ構造。
【請求項１２】
前記信号発生部は、入力部を含み、且つ、前記蓋あるいは前記ヘッド部の一方に配置されている、請求項１１に記載のポンプ構造。
【請求項１３】
前記蓋および前記ヘッド部の間に位置し、前記筒部を包囲する包囲部を更に備える、請求項１２に記載のポンプ構造。
【請求項１４】
請求項１１に記載のポンプ構造と、
容器本体と、を備え、
前記容器本体は、前記蓋に塞がれる開口を含む、ポンプ構造付き容器。
【請求項１５】
複数の装置と、受信部と、を備え、
前記複数の装置の各々は、蓋と、前記蓋から離間したヘッド部と、前記蓋から前記ヘッド部に向かって延びており前記ヘッド部に固定された筒部と、を含むポンプ部品に用いる装置であって、
前記複数の装置の各々は、
前記筒部の延びる方向における前記ヘッド部の移動に基づき、信号を発生する信号発生部と、
前記信号発生部にて発生した信号を無線送信する送信部と、を備え、
前記受信部は、前記複数の装置における前記送信部から送信された信号を受信する、システム。
【請求項１６】
前記受信部が受信した前記信号を分析する計算部を更に備える、請求項１５に記載のシステム。
【発明の詳細な説明】
【技術分野】
【０００１】
本開示は、装置と、ポンプ構造と、容器と、システムと、に関する。
【背景技術】
【０００２】
従来から、ポンプ機構を用いて容器に収容された液体（たとえば手の消毒液）を、容器外へと排出する技術がある。このようなポンプ機構におけるヘッド部を使用者が押し下げることにより、容器内の液体が所定量排出される。
【先行技術文献】
【特許文献】
【０００３】
【特許文献１】特開２０１１−１３６７０４号公報
【発明の概要】
【発明が解決しようとする課題】
【０００４】
本開示は、ヘッド部が所望の距離以上移動した回数を計測することができる装置を提供することをその主たる課題とする。
【課題を解決するための手段】
【０００５】
本開示の第１の側面によると、蓋と、前記蓋から離間したヘッド部と、前記蓋から前記ヘッド部に向かって延びており前記ヘッド部に固定された筒部と、を含むポンプ構造に用いる装置であって、前記筒部の延びる方向における前記ヘッド部の移動に基づき、信号を発生する信号発生部を備える、装置が提供される。
【０００６】
本開示の第２の側面によると、本開示の第１の側面によって提供される装置と、蓋と、前記蓋から離間したヘッド部と、前記蓋から前記ヘッド部に向かって延びており前記ヘッド部に固定された筒部と、を備える、ポンプ構造が提供される。
【０００７】
本開示の第３の側面によると、本開示の第２の側面によってポンプ構造と、容器本体と、を備え、前記容器本体は、前記蓋に塞がれる開口を含む、ポンプ構造付き容器が提供される。
【０００８】
本開示の第４の側面によると、複数の装置と、受信部と、を備え、前記複数の装置の各々は、蓋と、前記蓋から離間したヘッド部と、前記蓋から前記ヘッド部に向かって延びており前記ヘッド部に固定された筒部と、を含むポンプ部品に用いる装置であって、前記複数の装置の各々は、前記筒部の延びる方向における前記ヘッド部の移動に基づき、信号を発生する信号発生部と、前記信号発生部にて発生した信号を無線送信する送信部と、を備え、前記受信部は、前記複数の装置における前記送信部から送信された信号を受信する、システムが提供される。
【０００９】
本開示のその他の特徴および利点は、添付図面を参照して以下に行う詳細な説明によって、より明らかとなろう。
【図面の簡単な説明】
【００１０】
【図１】第１実施形態の装置を示す正面図である。
【図２】第１実施形態の装置を示す正面図である。
【図３】図１のＩＩＩ−ＩＩＩ線に沿う断面図である。
【図４】第１実施形態の装置の変形例を示す正面図である。
【図５】第１実施形態の装置のブロック図である。
【図６】第１実施形態のシステムのブロック図である。
【図７】第１実施形態の装置の変形例のブロック図である。
【図８】第２実施形態の装置を示す正面図である。
【図９】第３実施形態の装置を示す正面図である。
【図１０】第４実施形態の容器を示す正面図である。
【図１１】第４実施形態の装置のブロック図である。
【図１２】第４実施形態の発電部における磁石およびコイルを示す図である。
【図１３】第５実施形態の容器を示す正面図である。
【図１４】第５実施形態の容器を示す正面図である。
【図１５】第５実施形態の容器の変形例を示す正面図である。
【発明を実施するための形態】
【００１１】
以下、本開示の実施の形態につき、図面を参照して具体的に説明する。
【００１２】
＜第１実施形態＞
図１〜図７を用いて、本開示の第１実施形態について説明する。
【００１３】
図１および図２は、第１実施形態の装置を示す正面図である。
【００１４】
これらの図に示す装置Ａ１は、容器Ｂ１とともに用いられる。容器Ｂ１は、液体を収容するものである。このような液体は、たとえば、消毒液であるが、消毒液以外の液体（たとえば、医療用あるいは化粧用の薬液）であってもよい。消毒液は、たとえば、病原体や細菌の感染予防に用いられるものであってもよい。消毒液は、たとえば、病院に設置され、医師、看護師、および病院を訪れた者に用いられうる。容器Ｂ１はたとえば、病院の入り口ドア付近や、患者のベッドサイドに設置されてもよい。あるいは、容器Ｂ１は小型の携帯タイプのものであってもよい。
【００１５】
容器Ｂ１は、容器本体１１と、ポンプ構造Ｃ１と、を備える。
【００１６】
容器本体１１は、液体を収容するものである。容器本体１１はたとえば樹脂よりなる。容器本体１１の上部には開口１１１が形成されている。
【００１７】
ポンプ構造Ｃ１は、蓋１２と、筒部１４と、ヘッド部１６と、ポンプ機構１７とを備える。蓋１２は、開口１１１を塞いでいる。ヘッド部１６は、蓋１２から離間している。筒部１４は、蓋１２からヘッド部１６に向かって延びている。筒部１４は、ヘッド部１６に固定されている。ヘッド部１６および筒部１４は、蓋１２に対し、筒部１４の延びる方向Ｘ１に移動可能である。具体的には、ヘッド部１６は、図１、図２の下方および上方へと移動可能である。図２に示すように、ヘッド部１６は、第１位置Ｐ１および第２位置Ｐ２に位置する。ヘッド部１６が第２位置Ｐ２に位置する場合のヘッド部１６および蓋１２の距離は、ヘッド部１６が第１位置Ｐ１に位置する場合のヘッド部１６および蓋１２の距離よりも、小さい。
【００１８】
ポンプ機構１７は、図１、図２における蓋１２の下方に配置されている。ポンプ機構１７と、筒部１４と、ヘッド部１６とにわたって、流路１９（図３参照）が形成されている。ポンプ機構１７は、ヘッド部１６が蓋１２の側に押し下げられた場合に、容器本体１１内の液体を吸い上げる。吸い上げられた液体は、筒部１４内における流路１９、ヘッド部１６内の流路１９を経て、流路１９外へと排出される。ヘッド部１６を押し下げた場合に、ヘッド部１６における流路１９から排出される液体の量は、当該液体が手の消毒液である場合、消毒液製品によって異なりうる。消毒液に応じて必要な消毒効果を得るために推奨される１度当りの用量が指定されている。当該用量はたとえば３ｍＬである。３ｍＬの消毒液により手を消毒すると、より効果的な手の消毒が実現されうる。
【００１９】
装置Ａ１は、信号発生部２と、送信部３と、支持部材４と、を備える。
【００２０】
支持部材４は、たとえば、樹脂、あるいは、金属よりなる。支持部材４は絶縁性の材料よりなっていてもよく、あるいは、導電性の材料よりなっていてもよい。支持部材４は一体成型品であってもよく、あるいは、複数の部品からなっていてもよい。本実施形態では、支持部材４は、第１部分４１および第２部分４２を含む。
【００２１】
本実施形態では、第１部分４１は、Ｌ字の板状であるが、第１部分４１の形状はどのようなものであってもよい。図３に示すように、第１部分４１は、蓋１２を保持する保持部４１１を含む。本実施形態では、保持部４１１は、蓋１２が嵌まる凹部を有している。本実施形態とは異なり、保持部４１１は、蓋１２を挟み込むクリップであってもよい。
【００２２】
図１に示すように、第２部分４２は、略Ｔ字の板状であるが、第２部分４２の形状はどのようなものであってもよい。本実施形態では、第２部分４２は、筒部１４の延びる方向Ｘ１に直交する方向に延びる軸４９回りに第１部分４１に対し回動可能に、第１部分４１に連結されている。第２部分４２および第１部分４１の間に弾性部材６（たとえばコイルばね）が設けられていてもよい。本実施形態では、第２部分４２は、部位４２３および部位４２４を有する。部位４２３および部位４２４は、たとえば板状である。部位４２３は、第１部分４１に連結されている。部位４２４は、部位４２３とつながっており、部位４２３から延びる。部位４２４は、入力部２１（後述）に接触する接触部４２１を有している。図１、図２に示した例とは異なり、図４に示すように、第２部分４２は、支持部材４の一部が弾性変形することにより、第１部分４１に対し移動可能であってもよい。
【００２３】
図１、図２に示すように、信号発生部２および送信部３は、本実施形態では、１つの筐体に配置されている。本実施形態では、信号発生部２および送信部３は、支持部材４の第１部分４１に支持されている。図５に示すように、信号発生部２は、筒部１４の延びる方向Ｘ１におけるヘッド部１６の移動に基づき、信号ＳＳ１を発生する。本実施形態では、信号発生部２は、入力部２１（スイッチ）と、発電部２３と、を含む。
【００２４】
ヘッド部１６が第１位置Ｐ１（図２参照）にある場合、支持部材４における接触部４２１は、入力部２１に接触しない。ヘッド部１６が第１位置よりも蓋１２に近い第２位置Ｐ２（図２参照）にある場合、接触部４２１は、入力部２１に接触する。ヘッド部１６が方向Ｘ１の一方（図２では下方）に移動することに伴い、入力部２１は、支持部材４における接触部４２１に押される。
【００２５】
図１、図２、図５に示す発電部２３は、ヘッド部１６の移動に基づき発電する。本実施形態では、発電部２３は、入力部２１が接触部４２１に押されると、発電する。具体的には、入力部２１が接触部４２１に押されると、発電部２３は、微小な電力を発生する。発電部２３は、発生した電力（本実施形態では、当該電力が、（ポンプを押し下げたことを検知した検知）信号ＳＳ１に相当する）を、送信部３に送る。
【００２６】
図１、図２、図５に示す送信部３は、発電部２３にて発生した電力（本実施形態では、信号ＳＳ１）を送信する。本実施形態では、使用者が、ヘッド部１６を一度押し下げると、発電部２３が、当該押し下げに伴い微小な電力を発生する。そして、発電部２３は、発電部２３が発生した電力の（ほぼ全て）を送信する。すなわち、ヘッド部１６を押し下げた回数と同一数の信号ＳＳ１が、送信部３から送信される。たとえば、ヘッド部１６が１００回押し下げられたら、１００回信号ＳＳ１が送信部３から送信される。
【００２７】
図６に示すように、複数の装置Ａ１は、システムＳ１を構成する。システムＳ１は、複数の装置Ａ１と、受信部８１と、計算部８２と、を備える。受信部８１は、複数の装置Ａ１における送信部３から送信された信号ＳＳ１を受信する。計算部８２は、受信部８１が受信した信号ＳＳ１を分析する。計算部８２は、たとえば、信号ＳＳ１に基づき、各装置Ａ１から送られた信号ＳＳ１を、所定の決まりに従い分析する。装置Ａ１から送られた信号ＳＳ１の回数の平均を計算したり、信号ＳＳ１の送られる頻度を計算したり、あるいは、装置Ａ１が取り付けられた容器Ｂ１の設置場所ごとのデータを集計したりするとよい。
計算部８２により計算されたデータは、たとえば、サーバ８３に記憶される。なお、各装置Ａ１から送信された信号ＳＳ１には、どの装置Ａ１から送信された信号であるかを識別するための識別信号（ＩＤ（Ｉｄｅｎｔｉｆｉｅｒ）信号）が含まれていてもよい。この識別信号によって、計算部８２は、受信した信号ＳＳ１がどの装置Ａ１から送信されてきたかを認識することができる。
【００２８】
本実施形態とは異なり、信号発生部２が、発電部２３を備えておらず、図７に示すように、電源部２６（たとえば乾電池やボタン電池）を備えていても良い。電源部２６は、信号発生部２における制御部２９に電力を供給する。入力部２１が押されると、信号発生部２における制御部２９が信号ＳＳ１を発生するとよい。
【００２９】
次に、本実施形態の作用効果について説明する。
【００３０】
本実施形態においては、信号発生部２が筒部１４の延びる方向Ｘ１におけるヘッド部１６の移動に基づき、信号ＳＳ１を発生する。このような構成によると、ヘッド部１６が方向Ｘ１において所望の距離Ｌ１（図示参照）以上移動した回数を計測することができる。これにより、容器Ｂ１内の液体が所望の量以上排出されているか否か、あるいは、容器Ｂ１内の液体が所望の量（たとえば３ｍＬ）以上排出された回数を、効率的に知ることができる。
【００３１】
本実施形態においては、支持部材４は、第１部分４１および第２部分４２を含む。第１部分４１は、蓋１２を保持する保持部４１１を含む。このような構成によると、蓋１２のサイズが同一あるいは略同一であれば、同一形状の保持部４１１が、様々な蓋に対応しうる。したがって、より便利な、ヘッド部１６が押し下げられた回数をカウントするための装置Ａ１が提供される。
【００３２】
＜第２実施形態＞
図８を用いて、本開示の第２実施形態について説明する。図８は、第２実施形態の装置を示す正面図である。
【００３３】
なお、以下の説明では、上記と同一または類似の構成については上記と同一の符号を付し、説明を適宜省略する。
【００３４】
本実施形態の装置Ａ２は、支持部材４における第１部分４１および第２部分４２の形状、および、信号発生部２および送信部３の配置位置が、装置Ａ１とは異なり、その他の点は同様である。本実施形態によっても、装置Ａ１に関して述べた作用効果と同様の作用効果を奏しうる。
【００３５】
＜第３実施形態＞
図９を用いて、本開示の第３実施形態について説明する。図９は、第３実施形態の装置を示す正面図である。
【００３６】
本実施形態の装置Ａ３は、支持部材４の少なくとも一部を覆うカバー５を備える点が装置Ａ１とは異なり、その他の点は同様である。本実施形態によっても、装置Ａ１に関して述べた作用効果と同様の作用効果を奏しうる。更に、本実施形態によると、ヘッド部１６が押し下げられていないにもかかわらず、いたずら等により、第２部分４２のみが押し下げられ、ヘッド部１６を押し下げた回数が現実と異なりうる事態を回避しうる。
【００３７】
＜第４実施形態＞
図１０〜図１２を用いて、本開示の第４実施形態について説明する。図１０は、第４実施形態の容器を示す正面図である。図１１は、第４実施形態の装置のブロック図である。
【００３８】
本実施形態の容器Ｂ２は、容器本体１１と、ポンプ構造Ｃ２と、を備える。
【００３９】
容器本体１１は、第１実施形態で述べた説明を適用できるから、本実施形態では説明を省略する。ポンプ構造Ｃ２は、蓋１２と、筒部１４と、ヘッド部１６と、ポンプ機構１７と、に加え、装置Ａ４を備える。蓋１２と、筒部１４と、ヘッド部１６と、ポンプ機構１７と、は、第１実施形態で述べた説明を適用できるから、本実施形態では説明を省略する。
【００４０】
装置Ａ４は、信号発生部２および送信部３を含む。本実施形態では、信号発生部２は、ポンプ構造Ｃ１に連結されており、送信部３は、蓋１２に配置されている。信号発生部２および送信部３は、配線（図示略）により接続されている。図１１に示すように、本実施形態では、信号発生部２は、筒部１４の延びる方向Ｘ１におけるヘッド部１６の移動に基づき、信号ＳＳ１を発生する。本実施形態では、信号発生部２は、発電部２５を含む。
【００４１】
発電部２５は、ヘッド部１６の移動に基づき発電する。たとえば、図１２に示すように、発電部２５は、磁石２５１およびコイル２５３を含む。磁石２５１は、筒部１４に相対的に固定されており、コイル２５３は、容器本体１１に相対的に固定されている。そして、ヘッド部１６の方向Ｘ１における移動に伴い、磁石２５１が方向Ｘ１に移動する。磁石２５１がコイル２５３内を移動することにより、電磁誘導により、コイル２５３に起電力が発生する。発生した起電力（本実施形態では、当該電力が、（ポンプを押し下げたことを検知した検知）信号ＳＳ１に相当する）は、送信部３に送られる。
【００４２】
図１２に示した例とは異なり、発電部２５は、ギアとモータとを用いて起電力を発させてもよい。発生した起電力（本実施形態では、当該電力が、（ポンプを押し下げたことを検知した検知）信号ＳＳ１に相当する）は、送信部３に送られる。
【００４３】
本実施形態の構成を用いて、第１実施形態で述べたように、受信部８１および計算部８２を備えるシステムＳ１を構成してもよい。本実施形態においても、第１実施形態で述べた作用効果と同様の作用効果を奏しうる。
【００４４】
＜第５実施形態＞
図１３、図１４を用いて、本開示の第５実施形態について説明する。図１３および図１４は、第５実施形態の容器を示す正面図である。
【００４５】
図１３、図１４に示す本実施形態の容器Ｂ３は、容器本体１１と、ポンプ構造Ｃ３と、を備える。本実施形態のポンプ構造Ｃ３は、包囲部７１を有する点、および、装置Ａ５の構成を除き、第４実施形態と同様である。
【００４６】
図１３では、蓋１２の上面に、信号発生部２が配置されている。本実施形態とは異なり、図１５に示すように、信号発生部２がヘッド部１６の裏面に配置されていてもよい。信号発生部２は、第１実施形態で述べたのと同様に、入力部２１および発電部２３を有する。入力部２１および発電部２３の機能は、第１実施形態で述べたのと同様である。図１４に示すように、入力部２１は、ヘッド部１６が押し下げられた際に、ヘッド部１６に押される。また、送信部３は、蓋１２の側面に配置されている。
【００４７】
図１３に示すように、包囲部７１は、蓋１２およびヘッド部１６の間に位置し、筒部１４を包囲する。包囲部７１は、蓋１２に固定されている。
【００４８】
本実施形態の構成を用いて、第１実施形態で述べたように、受信部８１および計算部８２を備えるシステムＳ１を構成してもよい。本実施形態においても、第１実施形態で述べた作用効果と同様の作用効果を奏しうる。
【００４９】
また、本実施形態では、包囲部７１が設けられているので、ヘッド部１６が押し下げられていないにもかかわらず、いたずら等により、入力部２１のみが押される事態を回避しうる。
【００５０】
本開示は、上述した実施形態に限定されるものではない。本開示の各部の具体的な構成は、種々に設計変更自在である。
【００５１】
上記実施形態は、以下の付記を含む。
［付記１］
蓋と、前記蓋から離間したヘッド部と、前記蓋から前記ヘッド部に向かって延びており前記ヘッド部に固定された筒部と、を含むポンプ構造に用いる装置であって、
前記筒部の延びる方向における前記ヘッド部の移動に基づき、信号を発生する信号発生部を備える、装置。
［付記２］
前記信号発生部を支持する支持部材を更に備え、
前記信号発生部は、入力部を含み、前記支持部材は、前記入力部に接触する接触部を含み、
前記ヘッド部が第１位置にある場合、前記接触部は、前記入力部に接触せず、前記ヘッド部が前記第１位置よりも前記蓋に近い第２位置にある場合、前記接触部は、前記入力部に接触する、付記１に記載の装置。
［付記３］
前記信号発生部は、前記ヘッド部の前記移動に基づき発電する発電部を含む、付記２に記載の装置。
［付記４］
前記発電部は、前記入力部が前記接触部に押されると、発電する、付記３に記載の装置。
［付記５］
電力を蓄える電源部を更に備え、
前記信号発生部には、前記電源部から前記電力が供給される、付記３に記載の装置。
［付記６］
前記信号発生部にて発生した信号を無線送信する送信部を更に備える、付記２ないし付記５のいずれかに記載の装置。
［付記７］
前記支持部材は、第１部分および第２部分を含み、
前記第１部分は、前記蓋を保持する保持部を含む、付記２ないし付記６のいずれかに記載の装置。
［付記８］
前記第２部分は、前記筒部の延びる方向に直交する方向に延びる軸回りに前記第１部分に対し回動可能に、前記第１部分に連結されている、付記７に記載の装置。
［付記９］
前記第２部分は、前記支持部材の一部が弾性変形することにより、前記第１部分に対し移動可能である、付記７に記載の装置。
［付記１０］
前記支持部材の少なくとも一部を覆うカバーを更に備える、付記２ないし付記９のいずれかに記載の装置。
［付記１１］
付記１に記載の装置と、
蓋と、
前記蓋から離間したヘッド部と、
前記蓋から前記ヘッド部に向かって延びており前記ヘッド部に固定された筒部と、を備える、ポンプ構造。
［付記１２］
前記信号発生部は、入力部を含み、且つ、前記蓋あるいは前記ヘッド部の一方に配置されている、付記１１に記載のポンプ構造。
［付記１３］
前記蓋および前記ヘッド部の間に位置し、前記筒部を包囲する包囲部を更に備える、付記１２に記載のポンプ構造。
［付記１４］
付記１１に記載のポンプ構造と、
容器本体と、を備え、
前記容器本体は、前記蓋に塞がれる開口を含む、ポンプ構造付き容器。
［付記１５］
複数の装置と、受信部と、を備え、
前記複数の装置の各々は、蓋と、前記蓋から離間したヘッド部と、前記蓋から前記ヘッド部に向かって延びており前記ヘッド部に固定された筒部と、を含むポンプ部品に用いる装置であって、
前記複数の装置の各々は、
前記筒部の延びる方向における前記ヘッド部の移動に基づき、信号を発生する信号発生部と、
前記信号発生部にて発生した信号を無線送信する送信部と、を備え、
前記受信部は、前記複数の装置における前記送信部から送信された信号を受信する、システム。
［付記１６］
前記受信部が受信した前記信号を分析する計算部を更に備える、付記１５に記載のシステム。
【符号の説明】
【００５２】
１１  容器本体
１１１  開口
１２  蓋
１４  筒部
１６  ヘッド部
１７  ポンプ機構
１９  流路
２  信号発生部
２１  入力部
２３  発電部
２５  発電部
２５１  磁石
２５３  コイル
２６  電源部
３  送信部
４  支持部材
４１  第１部分
４１１  保持部
４２  第２部分
４２１  接触部
４２３  部位
４２４  部位
４２５  部位
４９  軸
５  カバー
６  弾性部材
７１  包囲部
８１  受信部
８２  計算部
８３  サーバ
Ａ１〜Ａ５  装置
Ｂ１〜Ｂ３  容器
Ｃ１〜Ｃ３  ポンプ構造
Ｌ１  距離
Ｐ１  第１位置
Ｐ２  第２位置
Ｓ１  システム
ＳＳ１  信号
Ｘ１  方向
【図１】
2019087129.tif 000003
【図２】
2019087129.tif 000004
【図３】
2019087129.tif 000005
【図４】
2019087129.tif 000006
【図５】
2019087129.tif 000007
【図６】
2019087129.tif 000008
【図７】
2019087129.tif 000009
【図８】
2019087129.tif 000010
【図９】
2019087129.tif 000011
【図１０】
2019087129.tif 000012
【図１１】
2019087129.tif 000013
【図１２】
2019087129.tif 000014
【図１３】
2019087129.tif 000015
【図１４】
2019087129.tif 000016
【図１５】
2019087129.tif 000017